(57)【要約】【課題】吸込口本体の前進，後退に拘わりなく塵埃を確実に吸い込むことができるとともに、被清掃面を払拭することのできる吸込口体と、この吸込口体を備えた電気掃除機を提供する。【解決手段】吸込口本体２１の底面に塵埃を吸い込む吸込開口２２Ａを設けた吸込口体２０であって、吸込開口２２Ａの前と後ろとの間を移動するとともに左右方向に延びた払拭部材４０を吸込口本体２１の底面に設け、払拭部材４０は、吸込口本体２１の前進時に吸込開口２２Ａの後ろ側に移動し、吸込口本体２１の後退時に吸込開口２２Ａの前側に移動する。【選択図】  図２
2004298341.tif 000002
【特許請求の範囲】
【請求項１】
底面に塵埃を吸い込む第１吸込開口を設けた吸込口体であって、
前記第１吸込開口を挟んで前と後ろとの間を移動するとともに左右方向に延びた払拭部材を吸込口体の底面に設け、
前記払拭部材は、吸込口体の前進時に第１吸込開口の後ろ側に移動し、吸込口体の後退時に第１吸込開口の前側に移動することを特徴とする吸込口体。
【請求項２】
底面の第１吸込開口より前に塵埃を吸い込む第２吸込開口を設け、
前記払拭部材は、吸込口体の後退時に前記第２吸込開口を閉塞することを特徴とする請求項１に記載の吸込口体。
【請求項３】
前記第１吸込開口の位置に回転清掃体を配置したことを特徴とする請求項１または請求項２に記載の吸込口体。
【請求項４】
請求項１ないし請求項３のいずれか１つに記載の吸込口体を備えたことを特徴とする電気掃除機。
【発明の詳細な説明】
【０００１】
【発明の属する技術分野】
この発明は、底面に塵埃を吸い込む吸込開口を設けた吸込口体と、この吸込口体を備えた電気掃除機とに関する。
【０００２】
【従来の技術】
従来から、吸込口本体の底面に吸込開口を設け、この吸込開口の後ろ側に起毛布等からなる拭き取り部材を設けた吸込口体が知られている（特許文献１参照）。
【０００３】
かかる吸込口体は、吸込口本体を前進させたとき、先ず吸込開口で被清掃面の塵埃を吸い込でいき、この後拭き取り部材で被清掃面を拭いていく。このように、被清掃面の塵埃を吸い込んだ後に被清掃面を拭いていくので、その被清掃面を効率よく清掃していくことができる。
【０００４】
【特許文献１】
特開２００２−２０００１５号公報（段落３５，３８、図５参照）
【０００５】
【発明が解決しようとする課題】
しかしながら、吸込口体を後退させたとき、拭き取り部材が被清掃面の塵埃を後方へ押してしまうので、被清掃面の塵埃を吸込開口で吸い込むことができなくなってしまういう問題があった。
【０００６】
この発明の目的は、吸込口本体の前進，後退に拘わりなく塵埃を確実に吸い込むことができるとともに、被清掃面を払拭することのできる吸込口体と、この吸込口体を備えた電気掃除機を提供することにある。
【０００７】
【課題を解決するための手段】
上記目的を達成するため、この発明は、底面に塵埃を吸い込む第１吸込開口を設けた吸込口体であって、
前記第１吸込開口を挟んで前と後ろとの間を移動するとともに左右方向に延びた払拭部材を吸込口体の底面に設け、
前記払拭部材は、吸込口体の前進時に第１吸込開口の後ろ側に移動し、吸込口体の後退時に第１吸込開口の前側に移動することを特徴とする。
【０００８】
【実施の形態】
以下、この発明に係る吸込口体と電気掃除機の実施の形態を図面に基づいて説明する。
［第１実施形態］
図１において、１０は電気掃除機本体で、この本体１０内には集塵室１１とこの集塵室１１を負圧にする電動送風機１２とが設けられている。集塵室１１内には集塵フィルタ１３が着脱可能に装着されている。１５は一端が電気掃除機本体１０に着脱可能に接続されているホースで、このホース１５の他端には手元操作管１６が設けられている。
【０００９】
手元操作管１６には把手部１６Ａと操作部１６Ｂとが設けられており、操作部１６Ｂには電動送風機１１のパワーの設定を行うパワー設定スイッチや電源を切るオフスイッチ等が設けられている。また、手元操作管１６には延長管１７が着脱可能に接続され、延長管１７の先端部には吸込口体２０が着脱可能に接続されている。
【００１０】
ホース１５および延長管１７には図示しない給電線が配線され、後述するモータ３３に直流電源が供給されるようになっている。
【００１１】
吸込口体２０は、図２および図３に示すように、吸込口本体２１と、この吸込口本体２１の後部に上下に回動可能に設けられた接続管１９等とを備えている。
【００１２】
吸込口本体２１内には、底面２１ａに吸込開口（第１吸込開口）２３Ａを形成した吸込室２３が形成されており、この吸込室２３には回転清掃体３０が回転自在に配置されている。回転清掃体３０は、複数の樹脂製のブレード３０Ｂ１と複数の布製のブレード３０Ｂ２とを交互に軸３０Ａの周方向に沿って設けたものである。各ブレード３０Ｂ１，ブレード３０Ｂ２は軸３０Ａに沿って螺旋状に形成されており、布製のブレード３０Ｂ２は樹脂製のブレード３０Ｂ１の径方向の長さより長く構成されていて吸込開口２３Ａから下方に少し突出するようになっている。樹脂製のブレード３０Ｂ１は吸込開口２３Ａから下方に出ないようになっている。
【００１３】
また、回転清掃体３０の軸３０Ａの一端には図示しないギアが設けられており、このギアとモータ３３の駆動軸（図示せず）に設けたギア（図示せず）とが図示しないタイミングベルトによって巻回されていて、モータ３３によって回転清掃体３０が回転されるようになっている。
【００１４】
吸込室２３は図示しない風路を介して接続管１９に連通している。また、吸込口本体２１の底面２１ａの両端部には、保持板２４，２４が所定の大きさの間隙を開けて取り付けられている。各保持板２４の上面には前後に延びたガイド溝２４Ｇが図３の破線で示すように形成されており、各保持板２４の下面には起毛布２４Ｋが取り付けられている。
【００１５】
吸込口本体２１の後部には後方に突出した車輪保持部２５が形成され、この車輪保持部２５には後輪２６が回転自在に保持されている。また、吸込口本体２１の底面２１ａの後側には吸込口本体２１の前進や後退を検知する検知部材２８が設けられている。
【００１６】
この検知部材２８は、被清掃面に接触して軸２８Ｂ回りに所定角度だけ回動可能となっている接触部２８Ａを有し、この接触部２８Ａの回動方向によって吸込口本体２１の進行方向を検知するものである。この検知部材２８が検知する吸込口本体２１の進行方向に基づいてモータ３３の回転方向が切り換わり、このモータ３３の回転方向の切り換わりによって回転清掃体３０の回転方向が切り換わるようになっている。この実施形態では、吸込口本体２１が前進しているとき回転清掃体３０は順方向である時計回（図２において）りに回転し、後退時には回転清掃体３０は順方向である反時計回（図２において）りに回転するようになっている。
【００１７】
また、吸込口本体２１の底面２１ａには、前後方向に移動可能な払拭部材４０が取り付けられている。払拭部材４０は、左右方向に延びていて吸込開口２３Ａの長手方向の長さより少し長くなっている。
【００１８】
払拭部材４０は、図４に示すようにプレート４１と、このプレート４１に取り付けた起毛４２Ａを有する払拭布４２とから構成されている。
【００１９】
プレート４１の両端部４１Ａ，４１Ａ（片方のみ図示）は吸込口本体２１の底面２１ａと保持板２４との間の間隙に挿入されており、各端部４１Ａには下方（図４において）に突出した突起４３，４３（片方のみ図示）が形成され、各突起４３は、保持板２４のガイド溝２４Ｇに摺動移動可能に挿入されている。そして、払拭部材４０はガイド溝２４Ｇに沿って前後に移動可能となっており、吸込開口２３Ａの前と後ろとの間を移動するようになっている。
【００２０】
そして、払拭布４２の起毛４２Ａの長さは、保持板２４の起毛布２４Ｋの下端２４Ｋａ（図４参照）と後輪２６の最下端位置２６ａ（図５参照）とを結ぶ直線Ｌより少し下方に起毛４２Ａの下端４２ａが位置するように設定されている。
［動  作］
次に、上記実施形態の吸込口体および電気掃除機の動作を説明する。
【００２１】
操作部１６Ｂの操作により電動送風機１２が駆動させると、集塵室１１が負圧になり、ホース１５，延長管１７，接続管１９および吸込口体２０の吸込室２３が負圧となり、床面の塵埃が吸込開口２３Ａから吸込室２３へ空気とともに吸引されていく。吸込室２３に吸引された塵埃および空気は接続管１９，延長管１７およびホース１５を介して掃除機本体１０の集塵室１１へ吸引され、塵埃は集塵フィルタ１３によって集塵されていく。
【００２２】
いま、図２および図３に示すように払拭部材４０が吸込開口２３Ａの後ろ側に位置しているとき、吸込口本体２１をフローリング（被清掃面）上を前進させると、払拭部材４０の起毛４２Ａによる被清掃面に対する摩擦により、払拭部材４０は吸込開口２３Ａの後ろ側に位置したまま吸込口本体２１とともに前進していく。
【００２３】
この払拭部材４０の前進により、払拭布４２の起毛４２Ａがフローリング（床面）を払拭していく。この払拭は、吸込開口２３Ａが床面の塵埃を吸引した後に行われるので、払拭布４２の起毛４２Ａは塵埃のない床面を払拭していくことになり、床面が払拭布４２の起毛４２Ａで効率よく払拭していくことになる。
【００２４】
吸込口本体２１を後退させると、払拭部材４０の起毛４２Ａによる被清掃面に対する摩擦により、その後退の初期には吸込口本体２１の移動とともに移動しない。すなわち、その後退の初期には払拭部材４０は保持板２４のガイド溝２４Ｇに沿って相対的に前側に移動していく。換言すれば、払拭部材４０は吸込口本体２１に対して相対的に前側に移動して図５および図６に示すように吸込開口２３Ａの前側に位置する。そして、吸込口本体２１の後退とともに払拭部材４０は後退していく。
【００２５】
この後退の際にも、払拭布４２の起毛４２Ａが床面を払拭していく。この払拭は、吸込開口２３Ａが床面の塵埃を吸引した後に行われるので、払拭布４２の起毛４２Ａは塵埃のない床面を払拭していくことになり、床面が払拭布４２の起毛４２Ａで効率よく払拭していくことになる。
【００２６】
このように、吸込口本体２１の前進や後退の際に払拭部材４０が吸込開口２３Ａの後や前に位置して吸込口本体２１とともに移動していくので、床面の塵埃が吸込開口２３へ吸引される前に払拭部材４０がその塵埃を吸込口本体２１の進行方向へ押してしまい、その塵埃の吸引を邪魔してしまうことがなく、このため吸込口本体２１の進行方向に拘わりなく塵埃を効率よく確実に吸引していくことができる。
【００２７】
また、操作部１６Ｂの操作によってモータ３３が駆動されると回転清掃体３０が回転していく。この回転清掃体３０は、吸込口本体２１の前進の際には図２に示すように時計回りに回転していくので、床面の塵埃を後方（図２において左方）へ飛ばすが、払拭部材４０が吸込開口２３Ａの後ろに位置しているので、後方へ飛ばされた塵埃はその払拭部材４０により吸込口本体２１の後部から後方へ飛び出てしまうことが防止され、後方へ飛ばされる塵埃も吸込開口２３Ａから吸引することができる。
【００２８】
同様に、吸込口本体２１を後退させた場合、図５に示すように回転清掃体３０は反時計回りに回転し、払拭部材４０が吸込開口２３Ａの前に位置するので、回転清掃体３０の回転によって前方へ飛ばされた塵埃が吸込口本体２１の前部から前方へ飛び出てしまうことが防止され、前方へ飛ばされる塵埃も吸込開口２３Ａから吸引することができる。
【００２９】
ところで、この吸込口体２０によれば、吸込開口２３Ａから床面の塵埃を吸引し、回転清掃体３０が床面を掃き、この後払拭部材４０が床面を磨いていくことを１台の吸込口体で行うので、掃除を効率よく行うことができることになる。
【００３０】
この第１実施形態では、回転清掃体３０を設けた吸込口体２０について説明したが、回転清掃体３０を設けていない吸込口体であってもよい。
［第２実施形態］
図７および図８は第２実施形態の吸込口体１２０を示したものである。この第２実施形態の吸込口体１２０は、吸込口本体１２１の底面２１ａの吸込開口２３Ａの前に吸込室２３に連通した補助吸込開口（第２吸込開口）１２４を設け、吸込口本体１２１が後退した際に補助吸込開口１２４を払拭部材４０で閉塞するようにしたものである。
【００３１】
この第２実施形態の吸込口体１２０によれば、図７および図８に示すように、吸込口本体１２１の前進の際に払拭部材４０は吸込開口２３Ａの後ろに位置し、補助吸込開口１２４と吸込開口２３Ａとから塵埃が吸引されていくので、効率よく塵埃を吸引していくことができる。また、補助吸込開口１２４で塵埃を吸引した後、吸込開口２３Ａの回転清掃体３０が床面を掃いていくので、回転清掃体３０は大きな塵埃のない床面を掃いていくことになり、大きな塵埃を回転清掃体３０が掃く際にその塵埃によって床面を傷つけてしまうことを防止することができる。
【００３２】
吸込口本体１２１が後退されると、図９に示すように、払拭部材４０が吸込開口２３Ａの前に位置して補助吸込開口１２４を閉塞する。他方、この後退時には手元操作管１６が手元側に引かれることにより吸込口本体１２１の後部側が浮いた状態となって吸込室２３の真空度が低下するが、補助吸込開口１２４が払拭部材４０により閉塞されるので、吸込室２３の真空度の低下が防止される。このため、吸込開口２３Ａの吸引力は低下せずに塵埃を吸引することができる。
【００３３】
第１，第２実施形態とも回転清掃体３０をモータ３３で回転するものについて説明したが、吸込口本体２１，１２１に吸込室２３に連通した吸気口を設け、この吸気口から吸気される空気をノズルによって回転清掃体３０のブレード３０Ｂ１，３０Ｂ２に吹き付けて回転清掃体３０を回転させる吸込口体であってもよい。この場合、ノズルの向きを吸込口本体２１，１２１の進行方向によって変えるようにして、吸込口本体２１，１２１の進行方向に対して回転清掃体３０が順方向に回転するようにする。
【００３４】
また、払拭部材４０は、起毛４２Ａを有する払拭布４２をプレート４１に取り付けているが、これに限らず起毛４２Ａを有しない布をプレート４１に取り付けてもよい。
【００３５】
【発明の効果】
以上説明したように、この発明によれば、吸込口本体の前進，後退に拘わりなく塵埃を確実に吸い込むことができるとともに、被清掃面を払拭することができる。
【図面の簡単な説明】
【図１】この発明に係る電機掃除機の外観を示した斜視図である。
【図２】図１に示す吸込口体の一部を切欠した側面図である。
【図３】図２に示す吸込口体の底面図である。
【図４】払拭部材の一部を拡大した部分拡大図である。
【図５】吸込口体を後退させた際の払拭部材の移動位置を示した説明図である。
【図６】図３の払拭部材が吸込口本体の前に移動した状態を示した吸込口体の底面図である。
【図７】第２実施形態の吸込口体を示した底面図である。
【図８】図７の吸込口体の一部を切欠した側面図である。
【図９】吸込口本体を後退させた際に払拭部材によって吸込開口が閉塞された状態を示した説明図である。
【符号の説明】
２０                    吸込口体
２１                    吸込口本体
２２Ａ                吸込開口
４０                    払拭部材
【図１】
2004298341.tif 000003
【図２】
2004298341.tif 000004
【図３】
2004298341.tif 000005
【図４】
2004298341.tif 000006
【図５】
2004298341.tif 000007
【図６】
2004298341.tif 000008
【図７】
2004298341.tif 000009
【図８】
2004298341.tif 000010
【図９】
2004298341.tif 000011